(57)【要約】【課題】川岸、海岸、港湾等の護岸のために設置されるＬ型擁壁等の立壁部を有効利用することにより、藻礁や漁礁等の水中設置物だけでなく、梯子や防舷材等の付属設置物、或いは柵、標識、案内板等の各種地上設置物を容易に着脱することができる量産性、機能性、環境保護性に優れた護岸構造物の提供を目的とする。【解決手段】コンクリート製の立壁部と、立壁部にインサートされた複数のアンカー部材と、を備えていることにより、別途、追加加工や工事などを行うことなく、護岸構造物に必要な各種設置物を容易に取付けることができ、立壁部を有効利用して、護岸構造物周辺の環境保護、環境整備に貢献する。【選択図】図１
2016135984.tif 000002
【特許請求の範囲】
【請求項１】
コンクリート製の立壁部と、前記立壁部にインサートされた複数のアンカー部材と、を備えたことを特徴とする護岸構造物。
【請求項２】
前記アンカー部材が、軸部と、前記軸部に形設された雌螺子部と、前記軸部の根元側に前記軸部より大径に形成された頭部と、前記頭部に形成された回り止め部と、を備えたことを特徴とする請求項１に記載の護岸構造物。
【請求項３】
前記アンカー部材によって前記立壁部の外表面に固設され設置対象物の被係止部を係止する係止具及び／又は設置対象物の外周部の少なくとも一部を保持する保持具を備えたことを特徴とする請求項１又は２に記載の護岸構造物。
【請求項４】
前記アンカー部材、前記係止具、前記保持具のいずれか１以上によって前記立壁部の外表面に固定される生物共生部を備えたことを特徴とする請求項３に記載の護岸構造物。
【発明の詳細な説明】
【技術分野】
【０００１】
本発明は、川岸、海岸、港湾等に設置されるＬ型擁壁等を用いた護岸構造物に関し、特に藻礁や漁礁等の水中設置物、梯子や防舷材等の付属設置物、或いは柵、標識、案内板等の各種地上設置物を容易に着脱することができる量産性、機能性、環境保護性に優れた護岸構造物に関する。
【背景技術】
【０００２】
従来、コンクリ−ト廃棄物や間伐材等の産業廃棄物を利用した様々な人工魚礁が検討されている。
コンクリ−ト廃棄物を利用したものとしては、コンクリート構造物の解体に際して発生する廃棄物を所定寸法に切断し、或いは端部のみ切断してできるコンクリート廃棄部材を近海、沿海、港湾又は河川などの水域に沈下して魚礁とするものがある。
また、（特許文献１）には、コンクリートを基礎に木質系材料を組み込んで構成した複合型人工漁礁が開示されている。
さらに、漁場を人工的に作り出すために、大型のコンクリートブロックや金属、石、各種ひも類、各種プラスチック類を藻類の植生基材とすべく海中等に投下し、人工の藻場を形成させて魚類を集めることなども行われている。
また、（特許文献２）では、海底等に沈設された餌料生物増殖礁を所定期間経過毎に船で引き上げ、餌料生物増殖基質材を取り替えることにより、増殖効果を一定以上に維持する方法が提案されている。
【先行技術文献】
【特許文献】
【０００３】
【特許文献１】特開２００５−１４３４５７号公報
【特許文献２】特開２０１４−１４０３３９号公報
【発明の開示】
【発明が解決しようとする課題】
【０００４】
しかしながら、上記従来の技術では、以下のような課題を有していた。
（１）コンクリート廃棄部材を利用する人工魚礁は、整い過ぎた単調、或いは規則的な形状を有しており、表面も均整化、平滑化されているため、貝類や海藻類等がその表面に棲息或いは付着し難く、従って、これら貝類や海藻類等を餌料とする魚類の集魚効果に欠けるという課題を有していた。
（２）（特許文献１）のように、コンクリートを基礎に木質系材料を組み込んで構成したものは、時間の経過により木質系材料が水棲生物などに食い荒らされるため、耐久性がなく、木質系材料のコンクリート基礎との接合部分が食害された場合は、木質系材料が海水表面に浮上し、船舶などの航行の障害となるなどの課題を有していた。
（３）大型のコンクリートブロックや金属、プラスチック類等を海中等に投下し、人工の藻場を形成するものは、表面が平滑であるため藻類の根が基材に付着できず、水中に流亡したり、これらの基材が長期に渡って分解することなく水中に残留したりして、かえって有用な海藻類を駆逐してしまうという課題を有していた。
（４）（特許文献２）では、基台となる大型のコンクリートブロックの重量が重いため、引き上げに大掛かりな設備が必要で、設置し直すための作業が困難であり、設置作業性、省資源性、環境保護性に欠けるという課題を有していた。
【０００５】
本発明は上記課題を解決するもので、川岸、海岸、港湾等の護岸のために設置されるＬ型擁壁等の立壁部を有効利用することにより、藻礁や漁礁等の水中設置物だけでなく、梯子や防舷材等の付属設置物、或いは柵、標識、案内板等の各種地上設置物を容易に着脱することができる量産性、機能性、環境保護性に優れた護岸構造物の提供を目的とする。
【課題を解決するための手段及びそれによって得られる作用、効果】
【０００６】
上記課題を解決するために本発明の護岸構造物は、以下の構成を有している。
本発明の請求項１に記載の護岸構造物は、コンクリート製の立壁部と、前記立壁部にインサートされた複数のアンカー部材と、を備えた構成を有している。
この構成により、以下のような作用、効果を有する。
（１）コンクリート製の立壁部と、立壁部にインサートされた複数のアンカー部材を有するので、川岸、海岸、港湾等の護岸のためにＬ型擁壁等の護岸構造物を新設する際や補修する際に、アンカー部材により、護岸構造物に必要な各種設置物を容易に取付けることができ、別途、追加加工や工事などを行う必要がなく、施工時の省力性、汎用性、機能性に優れる。
（２）立壁部に複数のアンカー部材がインサートされているので、アンカー部材を利用することにより、形状、大きさ、種類（材質）等の異なる各種設置物を立壁部の所望の位置に螺子止め等で強固に固定して護岸構造物と一体化させることや、各種設置物を係止する係止具または各種設置物を支持する支持具等を立壁部の表面に予め螺子止め等で取付けておき、各種設置物を容易に設置するができ、汎用性、施工性、安全性、着脱作業性に優れる。
【０００７】
ここで、護岸構造物は、少なくとも１つの立壁部を備えていればよく、その形状は特に限定されるものではない。尚、立壁部は直立していてもよいし、傾斜していてもよい。
立壁部はコンクリート製であるが、適宜、コンクリート表面改質剤或いは保護剤をコンクリートの表面に塗布乃至は噴霧し、コンクリート表層部の組織の改質、保護を行ったりして、護岸構造物の耐久性を向上させることができる。
アンカー部材は、立壁部に各種設置物を固定できるものであればよいが、雄部材と雌部材の組合せで、嵌合や螺合により固定されるものが好適に用いられる。雄部材又は雌部材の一方をアンカー部材として立壁部にインサートしておけば、後から他方の部材を嵌合若しくは螺合させて各種設置物或いは係止具や保持具等を容易に取付けることができる。特に、ボルトとナットの組合せで螺合するものは固定の安定性、確実性に優れ、好ましい。尚、異形鉄筋の軸心に雌螺子部を形成した雌部材をアンカー部材として使用すれば、外周の突起により引抜きを防止できると共に、ボルト等の雄螺子部材を螺合させる際の共周りも防ぐことができる。
また、アンカー部材としてナット等の雌部材をインサートする場合、先端面を立壁部の表面と面一とすることにより立壁部の表面からアンカー部材が突出することがなく、多数のアンカー部材を縦横に配置しても邪魔にならず、任意のアンカー部材を選択して、所望の位置に各種設置物を取付けることができ、取扱い性、汎用性に優れるだけでなく、不要なアンカー部材は蓋材で塞ぐことができ、美感性にも優れる。尚、アンカー部材の数や配置は適宜、選択することができる。
【０００８】
立壁部にインサートされた複数のアンカー部材は、藻礁や漁礁等の各種の生物共生部のほか、護岸構造物に必要な各種設置物を取付けるために使用することができる。尚、アンカー部材としてインサートされた雌部材に嵌合若しくは螺合される雄部材又はアンカー部材としてインサートされた雄部材の先端を立壁部の表面に突出させ、そのまま生物共生部として利用して海草類を付着させることもできる。
設置物としては、例えば、梯子、防舷材、柵、標識、案内板等を挙げることができる。柵、標識、案内板等の各種地上設置物を取付ける場合は、これらの脚部をアンカー部材を利用して固定すればよい。
アンカー部材等によって立壁部の外表面に梯子を固定すれば、作業者が立壁部に沿って容易に移動することができ、各種設置物の着脱作業、メンテナンス、水中の観察等を行うことができ、機能性、使用性に優れる。
また、立壁部に予めインサートされたアンカー部材によって立壁部の外表面に防舷材を固定すれば、追加工事等を行うことなく、容易に防舷材の着脱作業を行って船舶等の接舷時の衝撃を和らげることができ、メンテナンス性、安全性に優れる。
尚、各種設置物を設置する場合、設置物の上端部や側部のみをアンカー部材で立壁部に固定し、下端部を水底に接地させてもよい。
【０００９】
請求項２に記載の発明は、請求項１に記載の護岸構造物であって、前記アンカー部材が、軸部と、前記軸部に形設された雌螺子部と、前記軸部の根元側に前記軸部より大径に形成された頭部と、前記頭部に形成された回り止め部と、を備えた構成を有している。
この構成により、請求項１の作用、効果に加え、以下のような作用、効果を有する。
（１）アンカー部材が、軸部と、軸部に形設された雌螺子部を有するので、ボルト等の雄螺子部材を用いて各種設置物を簡単かつ強固に固定することができ、設置物の着脱作業性、固定安定性、固定確実性に優れる。
（２）アンカー部材が、軸部の根元側に軸部より大径に形成された頭部を有するので、外力等が加わっても、アンカー部材が立壁部から抜け落ちることがなく、設置物の保持安定性、耐久性に優れる。
（３）アンカー部材が、軸部に形設された雌螺子部と、軸部の根元側に軸部より大径に形成された頭部と、頭部に形成された回り止め部を有するので、ボルト等の雄螺子部材を螺合させて各種設置物を取付ける際に、アンカー部材が共周りすることなく、確実かつ強固に固定することができ、固定作業性、固定確実性に優れる。
【００１０】
ここで、アンカー部材の雌螺子部に雄螺子部材を螺合する際に加わる力によってアンカー部材の周囲が削れてアンカー部材が共周りしないように、アンカー部材の頭部に回り止め部を形成することが好ましい。頭部が円形でなければアンカー部材の共周りを防ぐことができるので、回り止め部の形状は、適宜、選択することができる。例えば、頭部の一側部を直線状に切り欠いてもよいし、頭部を多角形状や楕円状等に形成してもよい。
【００１１】
請求項３に記載の発明は、請求項１又は２に記載の護岸構造物であって、前記アンカー部材によって前記立壁部の外表面に固設され設置対象物の被係止部を係止する係止具及び／又は設置対象物の外周部の少なくとも一部を保持する保持具を備えた構成を有している。
この構成により、請求項１又は２の作用、効果に加え、以下のような作用、効果を有する。
（１）アンカー部材によって立壁部の外表面に固設され設置対象物の被係止部を係止する係止具及び／又は設置対象物の外周部の少なくとも一部を保持する保持具を備えることにより、アンカー部材で設置対象物を直接固定するだけでなく、係止具で設置対象物の被係止部を係止したり、保持具で設置対象物の外周部の少なくとも一部を保持したりすることができるので、大型の設置対象物や重量のある設置対象物でも確実かつ安定的に保持することができ、設置対象物の着脱作業性、固定安定性に優れる。
【００１２】
ここで、係止具は設置対象物の被係止部を係止できるものであればよく、その形状、数、配置等は、設置対象物の被係止部の形状や大きさ等に応じて、適宜、選択することができる。
また、保持具は設置対象物の外周部の少なくとも一部を保持できるものであればよく、その形状、数、配置等は、設置対象物の形状や大きさ等に応じて、適宜、選択することができる。
係止具及び保持具の材質は、設置対象物の材質や重量等に応じて、適宜、選択することができるが、鋳鉄、鉄骨、ステンレス鋼等の金属や木材等が好適に用いられる。
係止具や保持具にアンカー部材の雄部材を挿通するための取付孔を設けておけば、アンカー部材を利用して係止具や保持具の取付けを容易に行うことができる。
尚、設置対象物にアンカー部材の雄部材を挿通するための取付孔を設けておけば、設置対象物をアンカー部材で直接、護岸構造物の立壁部に固定することができるが、係止具や保持具を併用することにより、短時間で設置対象物を設置することができ、施工性、省力性に優れる。
【００１３】
請求項４に記載の発明は、請求項３に記載の護岸構造物であって、前記アンカー部材、前記係止具、前記保持具のいずれか１以上によって前記立壁部の外表面に固定される生物共生部を備えた構成を有している。
この構成により、請求項３の作用、効果に加え、以下のような作用、効果を有する。
（１）アンカー部材、係止具、保持具のいずれか１以上によって立壁部の外表面に固定される生物共生部を備えることにより、護岸構造物の立壁部を有効利用して、貝類や海藻類等を効率的に付着させたり、これら貝類や海藻類等を餌料とする魚類を増殖させたりして環境改善を図ることができ、環境保護性に優れる。
（２）生物共生部がアンカー部材、係止具、保持具のいずれか１以上によって立壁部の外表面に固定されるので、着脱が容易で、大掛かりな機器等を用いることなく、短時間で交換作業等を行うことができ、メンテナンス性、施工性に優れる。
【００１４】
ここで、生物共生部の形状、大きさ、材質、配置等は適宜、選択することができる。
パネル状に形成した生物共生部は藻礁として好適に用いられる。この場合、例えば大鋸屑や木屑等のほか、萱や葦などの草、植物の茎などを切断した各種植物材料をセメントなどに混入して加圧成形したものやポリエステルやエポキシ等の熱硬化性樹脂を結合材として木材、鉄等の金属、砂、砕石、炭酸カルシウム等の各種骨材を固めたもの、常温硬化型の二液性エポキシ樹脂等を用いて木材や石材等を固めたもの、コンクリートをガラス繊維で強化したものなど様々なものを用いることができ、使用する素材の選択と組合せにより、重量、比重、強度等を調整することができる。尚、セメントや砂の代わりにフライアッシュを用いた低アルカリコンクリート製のパネルでは、嫌アルカリ藻類の繁茂を促進することができる。また、コンクリートにアルギニン等のアミノ酸を加えた場合、アミノ酸がコンクリート表面にゆっくり染み出し、海藻類の成長を促すことができると共に、その匂いによって魚類を寄せ集めることもできる。さらに、必要に応じて、海藻類等が付着し易くなるように表面を凹凸や孔等で粗面化したり、表面に鉄岩化塗料を塗布して鉄分を溶出させたりして、集魚効果を高めることができる。生物共生部は、表面に凹凸を形成したり、表面を粗面化したりする代わりに、目の粗いポーラスレジンコンクリート等を用いて形成してもよい。また、生物共生部の固定に用いるアンカー部材の雌部材の先端を生物共生部の表面から突出させて突起部として利用し、ツルアラメ等の海藻類を付着させるようにすることもできる。或いは、麻、ワイヤー、ロープ等で形成された紐状の生物共生部の端部を立壁部の表面から突出させた雌部材等に結びつけて海藻類の養殖等に用いることもできる。
さらに、空隙に予め昆布や若布の菌を打ち込んだり、海藻類の栄養分となる窒素やリンを混入させたり、表面に貝殻や蠣殻等を付着させたりしてもよい。尚、海藻類は魚貝類の餌になるだけでなく、光合成で二酸化炭素を吸収したり、水中の窒素やリンを吸収したりして水質浄化に貢献することができる。
【００１５】
鋳鉄、鉄骨、ステンレス鋼等の金属や木材等で複数の開口部を有する箱形（中空）のフレーム状に形成した生物共生部は、漁礁として好適に用いられる。波などによる外力を受け難く、軽量化を図ることができると共に、内部に新鮮な海水を通すことができ、内部空間を魚の棲息空間や通り道として集魚効果を高めることができるためである。
生物共生部は、鋳鉄、鉄、ステンレス鋼等の金属やポリエチレン、ポリプロピレン、ポリスチレン等の合成樹脂でカゴ状に形成することもできる。この場合、上記金属製や合成樹脂製のフレーム（枠体）の開口部に、同様の材質で形成された網体或いは多孔性のパンチングメタルやエキスパンドメタルを貼着したものが好適に用いられる。カゴ状の生物共生部の内部には、従来から漁礁や養殖場の材料として用いられている鉄鋼スラグ、石炭灰造粒物、カキ殻、焼却灰、ゼオライト、コンクリートブロック、石、鉄炭団子等の鉄イオン溶出体等を収容することができる。これにより、集魚効果や水質改善効果を得ることができる。特に、鉄炭団子等の鉄イオン溶出体を収容した場合、水中に溶出した鉄イオンが、赤潮やアオコ等の発生原因となるリン等と化学反応して、有害プランクトンの発生を抑制できる。また、鉄イオンが水中の化学物質と結合し、それをミネラルとして吸収した水中生物が増加、活性化することにより、光合成が活発になり、水質の改善効果が得られる。尚、これらの収容物は単独で用いてもよいし、複数種を適宜、組合せて用いてもよい。
【図面の簡単な説明】
【００１６】
【図１】（ａ）実施の形態１の護岸構造物を示す模式側面図  （ｂ）実施の形態１の護岸構造物を示す模式正面図
【図２】(ａ)実施の形態１の護岸構造物に用いられるアンカー部材を示す模式側面図  (ｂ)実施の形態１の護岸構造物に用いられるアンカー部材を示す模式正面図
【図３】実施の形態１の護岸構造物に生物共生部を取付けた状態を示す模式正面図
【図４】実施の形態１の護岸構造物に取付けられるフレーム状の生物共生部を示す模式斜視図
【図５】実施の形態２の護岸構造物を示す要部断面模式側面図
【図６】実施の形態３の護岸構造物を示す要部断面模式側面図
【発明を実施するための形態】
【００１７】
本発明の護岸構造物について、以下図面を参照しながら説明する。なお、本発明は以下に説明する実施の形態に限定されるものではない。
（実施の形態１）
図１（ａ）は実施の形態１の護岸構造物を示す模式側面図であり、図１（ｂ）は実施の形態１の護岸構造物を示す模式正面図である。
図１中、１は側面形状が略Ｌ字型に形成されるコンクリート製のＬ型擁壁を用いた実施の形態１における護岸構造物、１ａは矩形状に形成された護岸構造物１の底盤部、１ｂは底盤部１ａに直交して立設された護岸構造物１の矩形状の立壁部、１ｃは底盤部１ａと立壁部１ｂの背面との間に立設された控え壁、２は先端面が立壁部１ｂの外表面と略面一になるように立壁部１ｂに所定間隔で縦横にインサートされた複数の雌螺子部材を用いたアンカー部材である。尚、図１（ａ）中の一点鎖線はアンカー部材２の軸心位置を示している。
【００１８】
本実施の形態では、立壁部１ｂの幅６ｍ、底盤部１ａの底面から立壁部１ｂの天端までの高さ６ｍ、底盤部１ａの奥行き３．５ｍで形成したが、これらの寸法は、護岸構造物１を設置する川岸、海岸、港湾等の規模や設置範囲等に応じて、適宜、選択することができる。また、控え壁１ｃの数や配置は立壁部１ｂの幅に応じて適宜、選択することができ、省略することもできる。
【００１９】
次に、アンカー部材について説明する。
図２(ａ)は実施の形態１の護岸構造物に用いられるアンカー部材を示す模式側面図であり、図２(ｂ)は実施の形態１の護岸構造物に用いられるアンカー部材を示す模式正面図である。
図２中、３はアンカー部材２の軸部、４は軸部３に形設されたアンカー部材２の雌螺子部、５は軸部３の根元側に軸部３より大径に形成されたアンカー部材２の頭部、６は頭部５の一側部に平坦状に形成された回り止め部である。
アンカー部材２が立壁部１ｂにインサートされていることにより、後から雄螺子部材を螺合させて各種設置物を容易に立壁部１ｂの外表面に取付けることができる。
このとき、アンカー部材２の頭部５が軸部３より大径に形成されていることにより、外力によってアンカー部材２が立壁部１ｂから抜け落ちることを防止できる。また、頭部５に回り止め部６が形成されていることにより、雄螺子部材を螺合させる際にアンカー部材２の周囲が削られても、アンカー部材２が共周りせず、施工性に優れる。回り止め部６の形状や配置は本実施の形態に限定されるものではなく、複数箇所に設けることができ、頭部５の外形を矩形状や六角形等の多角形状等に形成してもよい。尚、本実施の形態のアンカー部材２の代わりに、異形鉄筋の軸心に雌螺子部を形成した雌部材をアンカー部材として使用した場合も、外周の突起により引抜きを防止できると共に、ボルト等の雄螺子部材を螺合させる際の共周りを防ぐことができる。
【００２０】
尚、アンカー部材２の数や配置は、取付けが予定されている各種設置物の形状や大きさ等に応じて、適宜、選択することができる。また、アンカー部材２が雌螺子部材であり、先端面が立壁部１ｂの表面と略面一となるようにインサートされていることにより、立壁部１ｂの表面からアンカー部材２が突出することがないので、多数のアンカー部材２を縦横に配置しても搬送時や各種設置物の取付時に邪魔になることがなく、任意のアンカー部材２を選択して、所望の位置に各種設置物を取付けることができ、取扱い性、汎用性に優れる。尚、不要なアンカー部材２は蓋材で塞ぐことができ、美感性にも優れる。
本実施の形態では、アンカー部材２として雌螺子部材をインサートしたが、雄螺子部材をインサートしてもよい。また、アンカー部材２は、雄部材と雌部材の組合せで、立壁部１ｂに各種設置物を固定できるものであればよく、螺合以外に嵌合等によって固定するものを用いてもよい。
【００２１】
以上のように構成された実施の形態１の護岸構造物の使用方法について説明する。
図３は実施の形態１の護岸構造物に生物共生部を取付けた状態を示す模式正面図である。
図３中、１０は護岸構造物１の立壁部１ｂの外表面の上から１段目乃至３段目に取付けられたパネル状の生物共生部、１１は鋳鉄、鉄骨、ステンレス鋼等の金属や木材等で形成され護岸構造物１の立壁部１ｂの外表面の４段目（最下段）に取付けられたフレーム状の生物共生部、２０は立壁部１ｂの外表面にインサートされたアンカー部材２（図２参照）に螺着されて生物共生部１０，１１の外周の要所を固定するボルト等の雄螺子部材である。
【００２２】
パネル状の生物共生部１０は藻礁として好適に用いることができ、その材質は適宜、選択することができる。例えば大鋸屑や木屑等のほか、萱や葦などの草、植物の茎などを切断した各種植物材料をセメントなどに混入して加圧成形したものやポリエステルやエポキシ等の熱硬化性樹脂を結合材として木材、鉄等の金属、砂、砕石、炭酸カルシウム等の各種骨材を固めたもの、常温硬化型の二液性エポキシ樹脂等を用いて木材や石材等を固めたもの、コンクリートをガラス繊維で強化したものなど様々なものを用いることができ、使用する素材の選択と組合せにより、重量、比重、強度等を調整することができる。尚、セメントや砂の代わりにフライアッシュを用いた低アルカリコンクリート製のパネルでは、嫌アルカリ藻類の繁茂を促進することができる。また、コンクリートにアルギニン等のアミノ酸を加えた場合、アミノ酸がコンクリート表面にゆっくり染み出し、海藻類の成長を促すことができると共に、その匂いによって魚類を寄せ集めることもできる。さらに、必要に応じて、海藻類等が付着し易くなるように表面を凹凸や孔等で粗面化したり、表面に鉄岩化塗料を塗布して鉄分を溶出させたりして、集魚効果を高めることができる。生物共生部１０は、表面に凹凸を形成したり、表面を粗面化したりする代わりに、目の粗いポーラスレジンコンクリート等を用いて形成してもよい。また、生物共生部１０の固定に用いるボルト等の雌部材の先端を生物共生部１０の表面から突出させて突起部として利用し、ツルアラメ等の海藻類を付着させるようにすることもできる。さらに、空隙に予め昆布や若布の菌を打ち込んだり、海藻類の栄養分となる窒素やリンを混入させたり、表面に貝殻や蠣殻等を付着させたりしてもよい。尚、海藻類は魚貝類の餌になるだけでなく、光合成で二酸化炭素を吸収したり、水中の窒素やリンを吸収したりして水質浄化に貢献することができる。
【００２３】
次に、フレーム状の生物共生部について説明する。
図４は実施の形態１の護岸構造物に取付けられるフレーム状の生物共生部を示す模式斜視図である。
図４中、１２は鋳鉄、鉄骨、ステンレス鋼等の金属や木材等で複数の開口部１３を有する箱形（中空）のフレーム状に形成された生物共生部１１のフレーム本体、１４はフレーム本体１２の背面側の外周に形成された生物共生部１１のフランジ部、１５はフランジ部１４の要所に穿設された生物共生部１１の取付孔である。
生物共生部１１の取付孔１５の位置が、護岸構造物１の立壁部１ｂのアンカー部材２の位置（図１（ａ）参照）に重なるように生物共生部１１を配置し、雄螺子部材２０を取付孔１５から挿通してアンカー部材２の雌螺子部４と螺着することにより、立壁部１ｂの外表面に生物共生部１１を取付けることができる。
生物共生部１１が複数の開口部１３を有することにより、波などによる外力を受け難く、軽量化を図ることができると共に、内部に新鮮な海水を通すことができ、内部空間を魚の棲息空間や通り道として集魚効果を高めることができる。尚、開口部１３の形状、大きさ、数、配置等は適宜、選択することができる。
【００２４】
生物共生部１１も生物共生部１０と同様にして立壁部１ｂの外表面に取付けることができるが、これらの形状、数、配置等は本実施の形態に限られることなく、適宜、選択することができる。
また、護岸構造物１の立壁部１ｂの外表面にアンカー部材２がインサートされていることにより、生物共生部１０，１１以外に、梯子、防舷材、柵、標識、案内板等の各種設置物を追加工事等を行うことなく容易に取付けることができる。
護岸構造物１に梯子を取り付ければ、作業者が立壁部１ｂに沿って容易に移動することができ、各種設置物の着脱作業、メンテナンス、水中の観察等を行うことができ、機能性、使用性に優れる。
また、防舷材を取付けることにより、船舶等の接舷時の衝撃を和らげることができ、メンテナンス性、安全性に優れる。
尚、柵、標識、案内板等の各種地上設置物を取付ける場合は、これらの脚部をアンカー部材２を利用して固定すればよい。
【００２５】
以上のように構成された実施の形態１の護岸構造物は、以下の作用を有する。
（１）コンクリート製の立壁部と、立壁部にインサートされた複数のアンカー部材を有するので、川岸、海岸、港湾等の護岸のためにＬ型擁壁等の護岸構造物を新設する際や補修する際に、アンカー部材により、護岸構造物に必要な各種設置物を容易に取付けることができ、別途、追加加工や工事などを行う必要がなく、施工時の省力性、汎用性、機能性に優れる。
（２）立壁部に複数のアンカー部材がインサートされているので、アンカー部材を利用することにより、形状、大きさ、種類（材質）等の異なる各種設置物を立壁部の所望の位置に螺子止め等で強固に固定して護岸構造物と一体化させることや、各種設置物を係止する係止具または各種設置物を支持する支持具等を立壁部の表面に予め螺子止め等で取付けておき、各種設置物を容易に設置するができ、汎用性、施工性、安全性、着脱作業性に優れる。
（３）アンカー部材が、軸部と、軸部に形設された雌螺子部を有するので、ボルト等の雄螺子部材を用いて各種設置物を簡単かつ強固に固定することができ、設置物の着脱作業性、固定安定性、固定確実性に優れる。
（４）アンカー部材が、軸部の根元側に軸部より大径に形成された頭部を有するので、外力等が加わっても、アンカー部材が立壁部から抜け落ちることがなく、設置物の保持安定性、耐久性に優れる。
（５）アンカー部材が、軸部に形設された雌螺子部と、軸部の根元側に軸部より大径に形成された頭部と、頭部に形成された回り止め部を有するので、ボルト等の雄螺子部材を螺合させて各種設置物を取付ける際に、アンカー部材が共周りすることなく、確実かつ強固に固定することができ、固定作業性、固定確実性に優れる。
（６）アンカー部材によって立壁部の外表面に固定される生物共生部を備えることにより、護岸構造物の立壁部を有効利用して、貝類や海藻類等を効率的に付着させたり、これら貝類や海藻類等を餌料とする魚類を増殖させたりして環境改善を図ることができ、環境保護性に優れる。
（７）生物共生部がアンカー部材によって立壁部の外表面に固定されるので、着脱が容易で、大掛かりな機器等を用いることなく、短時間で交換作業等を行うことができ、メンテナンス性、施工性に優れる。
（８）パネル状の生物共生部が目の粗いポーラスレジンコンクリート製であることにより、海藻類が付着し易く、集魚効果を大幅に高めることができ、護岸構造物の有効利用性、環境改善の確実性に優れる。
【００２６】
（実施の形態２）
実施の形態２における護岸構造物について説明する。尚、実施の形態１と同様のものは同一の符号を付して説明を省略する。
図５は実施の形態２の護岸構造物を示す要部断面模式側面図である。
図５において、実施の形態２における護岸構造物１Ａが実施の形態１と異なるのは、立壁部１ｂにインサートされたアンカー部材２によって立壁部１ｂの外表面にフック状の係止具１６が固設されている点である。
また、実施の形態２におけるパネル状の生物共生部１０Ａが実施の形態１と異なるのは、雄螺子部材２０が挿通される取付孔１７に加え、背面側上方の切り欠き部１８に護岸構造物１Ａの係止具１６に係止される被係止部１９が配設されている点である。
これにより、係止具１６に被係止部１９を係止した後、雄螺子部材２０を取付孔１７に挿通してアンカー部材２と螺着するだけで生物共生部１０Ａを容易に固定することができる。
尚、係止具１６は生物共生部１０Ａ等の設置対象物の被係止部１９を係止できるものであればよく、その形状、数、配置等は、設置対象物の被係止部１９の形状や大きさ等に応じて、適宜、選択することができる。
【００２７】
以上のように構成された実施の形態２における護岸構造物によれば、実施の形態１で得られる作用と同様の作用に加え、以下の作用が得られる。
（１）アンカー部材によって立壁部の外表面に固設され設置対象物の被係止部を係止する係止具を備えることにより、アンカー部材で設置対象物を直接固定するだけでなく、係止具で設置対象物の被係止部を係止することができるので、大型の設置対象物や重量のある設置対象物でも確実かつ安定的に保持することができ、設置対象物の着脱作業性、固定安定性に優れる。
【００２８】
（実施の形態３）
実施の形態３における護岸構造物について説明する。尚、実施の形態１又は２と同様のものは同一の符号を付して説明を省略する。
図６は実施の形態３の護岸構造物を示す要部断面模式側面図である。
図６において、実施の形態３における護岸構造物１Ｂが実施の形態１と異なるのは、立壁部１ｂにインサートされたアンカー部材２によって立壁部１ｂの外表面にパネル状の生物共生部１０等の設置対象物の底部を保持する保持具２１ａ，２１ｂが固設されている点である。
これにより、保持具２１ａ，２１ｂで生物共生部１０の底部を保持した状態で、雄螺子部材２０を取付孔１７に挿通してアンカー部材２と螺着するだけで生物共生部１０を容易に固定することができる。尚、保持具２１ａ，２１ｂは生物共生部１０の幅全体を保持してもよいし、所定の幅で間隔を空けて配置し、生物共生部１０の要所を保持してもよい。
本実施の形態では、生物共生部１０の底部のみを保持具２１ａ，２１ｂで保持したが、保持具は生物共生部１０等の設置対象物の外周部の少なくとも一部を保持できるものであればよく、設置対象物の上面部や側面部等を保持することもでき、その形状、数、配置等は、設置対象物の形状や大きさ等に応じて、適宜、選択することができる。
【００２９】
以上のように構成された実施の形態３における護岸構造物によれば、実施の形態１で得られる作用と同様の作用に加え、以下の作用が得られる。
（１）アンカー部材によって立壁部の外表面に固設され設置対象物の外周部の少なくとも一部を保持する保持具を備えることにより、アンカー部材で設置対象物を直接固定するだけでなく、保持具で設置対象物の外周部の少なくとも一部を保持することができるので、大型の設置対象物や重量のある設置対象物でも確実かつ安定的に保持することができ、設置対象物の着脱作業性、固定安定性に優れる。
【産業上の利用可能性】
【００３０】
本発明は、川岸、海岸、港湾等の護岸のために設置されるＬ型擁壁等の立壁部を有効利用することにより、藻礁や漁礁等の水中設置物だけでなく、梯子や防舷材等の付属設置物、或いは柵、標識、案内板等の各種地上設置物を容易に着脱することができる量産性、機能性、環境保護性に優れた護岸構造物の提供を行うことができ、護岸構造物周辺の環境保護、環境整備に貢献することができる。
【符号の説明】
【００３１】
１，１Ａ，１Ｂ  護岸構造物
１ａ  底盤部
１ｂ  立壁部
１ｃ  控え壁
２  アンカー部材
３  軸部
４  雌螺子部
５  頭部
６  回り止め部
１０，１０Ａ，１１  生物共生部
１２  フレーム本体
１３  開口部
１４  フランジ部
１５，１７  取付孔
１６  係止具
１８  切り欠き部
１９  被係止部
２０  雄螺子部材
２１ａ，２１ｂ  支持具
【図１】
2016135984.tif 000003
【図２】
2016135984.tif 000004
【図３】
2016135984.tif 000005
【図４】
2016135984.tif 000006
【図５】
2016135984.tif 000007
【図６】
2016135984.tif 000008